(57)【要約】【課題】  商品の購入者が複数の店舗で商品を購入した場合、次第に手荷物が増え、かさばって重くなり、他の多くの商品を吟味して見て回ることができにくくなるという課題がある。【解決手段】  本発明は、商品の購入者１が記録媒体２を用いて、複数の店舗で購入した商品を一括で引渡すシステムにおいて、複数の店舗のそれぞれは、キャッシュレジスタ３と、リーダーライタ装置４とを少なくとも備え、リーダーライタ装置４によって購入者１が所持する記録媒体２への購入商品情報の記録を行い、複数の店舗のいずれかで購入された商品を商品の購入者１へ引渡す引渡し場に、記録媒体２に記録された購入商品情報を固有情報と関連付けて読取り、読取られた購入商品情報に該当する商品を購入者１へ引渡した証しを記録するリーダーライタ装置４を少なくとも備えたことを特徴とする商品購入システムにより上記の課題を解決した。【選択図】  図２
2014092993.tif 000002
【特許請求の範囲】
【請求項１】
商品の購入者が所持し、購入商品情報の記録ならびに表示が可能な記録媒体を用いて、複数の店舗で購入した商品を購入者に対して一括で引渡すシステムにおいて、前記記録媒体には前記記録媒体を特定する固有情報が記載され、前記複数の店舗のそれぞれは、キャッシュレジスタと、前記キャッシュレジスタに繋がり前記記録媒体への情報の記録ならびに前記記録媒体からの情報の読取りを行うリーダーライタ装置とを少なくとも備え、商品を購入した店舗のリーダーライタ装置によって購入者が所持する記録媒体への購入商品情報の記録を行い、前記複数の店舗のいずれかで購入された商品を前記商品の購入者へ引渡す引渡し場に、前記記録媒体に記録された購入商品情報を前記固有情報と関連付けて読取り、読取られた購入商品情報に該当する商品を購入者へ引渡した証しを記録するリーダーライタ装置を少なくとも備えたことを特徴とする商品購入システム。
【請求項２】
前記記録媒体がリライトカードからなることを特徴とする請求項１に記載の商品購入システム。
【請求項３】
前記記録媒体には前記記録媒体を特定する固有情報に対応する光学読取り可能なコード情報および前記記録媒体には購入商品情報に対応する光学読取り可能なコード情報が表示されていることを特徴とする請求項１又は請求項２のいずれか一項に記載の商品購入システム。
【請求項４】
前記コード情報が一次元コード、二次元コードのいずれかであることを特徴とする請求項３に記載の商品購入システム。
【請求項５】
前記記録媒体が非接触ＩＣを装着した携帯端末からなることを特徴とする請求項１に記載の商品購入システム。
【発明の詳細な説明】
【技術分野】
【０００１】
本発明は、商品購入システムに関し、さらに詳しくは商品を手荷物として携帯することなく、複数の店舗で購入した購入商品情報が記録された記録媒体の読取りにより買い物が可能となる商品購入システムに関する。
【背景技術】
【０００２】
従来より、デパート、スーパー、ホテル等で買い物をする場合、商品の購入者は、商品の種類により、目的の店舗へ行き商品を購入する。商品購入後は商品を手荷物として携帯することになる。
【０００３】
商品の購入者が複数の店舗で商品を購入した場合、次第に手荷物が増える傾向にある。
【０００４】
特許文献１においては、店舗で数種類の買い物をする際、買い物の度に商品を受け取る必要がなく、手荷物なしで買い物ができる買い物カードシステムを提供することを目的とした発明がなされている。
【０００５】
しかしながら特許文献１は、各店舗内の各レジスタに磁気カードリーダライタを備えた磁気カードによる精算方式のため、商品の購入者が磁気カードにより商品名および商品価格を目視で確認することが不可能である。さらに各店舗に備えられたレジスタの精算情報をホストコンピュータで一元管理することを前提としているため、オンライン化されていないし、独立した店舗に対しては適用できないという事情がある。
【先行技術文献】
【特許文献】
【０００６】
【特許文献１】特開平８−１３７９５７号公報
【発明の概要】
【発明が解決しようとする課題】
【０００７】
商品の購入者が複数の店舗で商品を購入した場合、次第に手荷物が増え、かさばって重くなり、他の多くの商品を吟味して見て回ることができにくくなるという課題がある。
【０００８】
さらに、商品の購入者が複数の商品を買い物かごに入れた時に、購入しようとする商品の合計金額が不明で、購入予算をオーバーしてしまうという課題がある。
【課題を解決するための手段】
【０００９】
そこで、本発明に係わる商品購入システムでは、以下の各態様により上記課題を解決した。
【００１０】
本発明に係わる第１の態様は、商品の購入者（１）が所持し、購入商品情報の記録ならびに表示が可能な記録媒体（２）を用いて、複数の店舗で購入した商品を購入者（１）に対して一括で引渡すシステムにおいて、前記記録媒体（２）には前記記録媒体（２）を特定する固有情報が記載され、前記複数の店舗のそれぞれは、キャッシュレジスタ（３）と、前記キャッシュレジスタ（３）に繋がり前記記録媒体（２）への情報の記録ならびに前記記録媒体（２）からの情報の読取りを行うリーダーライタ装置（４）とを少なくとも備え、商品を購入した店舗のリーダーライタ装置（４）によって購入者（１）が所持する記録媒体（２）への購入商品情報の記録を行い、前記複数の店舗のいずれかで購入された商品を前記商品の購入者（１）へ引渡す引渡し場に、前記記録媒体（２）に記録された購入商品情報を前記固有情報と関連付けて読取り、読取られた購入商品情報に該当する商品を購入者へ引渡した証しを記録するリーダーライタ装置（４）を少なくとも備えたことを特徴とする商品購入システムである。
【００１１】
本発明に係わる第２の態様は、前記記録媒体（２）がリライトカードからなることを特徴とする商品購入システムである。
【００１２】
本発明に係わる第３の態様は、前記記録媒体（２）には前記記録媒体（２）を特定する固有情報に対応する光学読取り可能なコード情報（２０）および前記記録媒体（２）には購入商品情報に対応する光学読取り可能なコード情報（２１）が表示されていることを特徴とする商品購入システムである。
【００１３】
本発明に係わる第４の態様は、前記コード情報（２０）、（２１）が一次元コード、二次元コードのいずれかであることを特徴とする商品購入システムである。
【００１４】
本発明に係わる第５の態様は、前記記録媒体（２）が非接触ＩＣを装着した携帯端末（図示せず）からなることを特徴とする商品購入システムである。
【発明の効果】
【００１５】
商品の購入者は、購入しようとする購入商品情報を記録媒体に記録するだけで、商品そのものを携帯せずに複数の店舗への買い物が可能となる。さらに、購入しようとする購入商品情報が記録媒体に記録されるため、購入商品情報を目視で確認することができる。
また、店舗ごとにホストコンピュータを介してオンライン化されている必要がない。
【図面の簡単な説明】
【００１６】
【図１】本発明に係わる商品購入システムによる商品購入の流れを示す模式図である。
【図２】本発明に係わる商品購入システムの構成を示す概念図である。
【発明を実施するための形態】
【００１７】
次に、本発明の実施形態について、詳述する。
図１は、本発明に係わる商品購入システムによる商品購入の流れを示す模式図である。
図１において、２は記録媒体、２０はコード情報（記録媒体２を特定する固有情報に対応する光学読取り可能なコード情報）、２１はコード情報（購入商品情報に対応する光学読取り可能なコード情報）、２２は引渡日（引渡した証し）を示している。
【００１８】
図１では、店舗で商品の購入者１（図２に示している）が、購入しようとする商品を選択し、記録媒体２に固有情報ならびに購入商品情報の記録を目視情報とコード情報２０およびコード情報２１（詳細については、後述する）として行い、商品を持たないで別の店舗へ行く。商品の購入者１が購入しようとする商品を選択し、記録媒体２に購入商品情報の記録を目視情報とコード情報２０とコード情報２１として行う。
【００１９】
さらに、商品を持たずに他の店舗を見回ることが可能である。最後に精算するときに、記録媒体２からコード情報２０とコード情報２１を読取り、引渡日２２を記録した上で商品の引渡しを行う。
【００２０】
具体的には、例えば、Ａ店で３００円の商品Ａと５００円の商品Ｂを購入した場合（Ｓ１）、商品の購入者１が記録媒体２（材料等の詳細については、後述する）に記録された購入商品情報を携帯し（Ｓ２）、商品を持たないで、Ｂ店へ行き商品Ｃを購入することが可能である（Ｓ３）。
【００２１】
商品の購入者１は、Ｂ店で２００円の商品Ｃを購入し（Ｓ４）、商品Ｃを携帯しないで記録媒体２に購入商品情報を記録し、さらに別の店舗を見回り買い物をすることも可能である（Ｓ５）。
【００２２】
商品の購入者１は、希望商品を購入し、店側が記録媒体２からコード情報２１を読取り、総額１０００円の精算と同時に今までに購入した商品の引渡しを行う。この時点で、記録媒体２に引渡日が記録されることになる。
【００２３】
図２は、本発明に係わる商品購入システムの構成を示す概念図である。Ａ店において、商品の購入者１は、商品Ａと商品Ｂの購入商品情報を記録するため記録媒体２をキャッシュレジスタ３の所まで携帯し、キャッシュレジスタ３に繋がっているリーダーライタ装置４で記録し、コード情報２０とコード情報２１を読取ってもらい精算する。
【００２４】
さらにＢ店で、商品の購入者１は、商品Ｃの購入商品情報を記録するため記録媒体２をキャッシュレジスタ３の所まで携帯し、キャッシュレジスタ３に繋がっているリーダーライタ装置４で記録しコード情報２０とコード情報２１を読取ってもらい精算する（Ｓ６）。
【００２５】
その他の店においても、さらに希望購入商品がある場合には、前記Ｓ４と前記Ｓ５と同様の処理を繰り返せばよい。
【００２６】
それぞれのキャッシュレジスタ３は、オフラインで動作するものでよい。
【００２７】
買い物が済み次第、商品の購入者１は、引渡し場で記録媒体２に表示されているコード情報２０およびコード情報２１を読取ってもらい、商品Ａ、商品Ｂ、商品Ｃを引き取る。
【００２８】
次に物流システムについて説明する。商品棚には、商品Ａ、商品Ｂ、商品Ｃ等が陳列されており、物流手段を用いて引渡し場に商品を運ぶ。この場合の物流手段としては、人が手で直接運んだり台車で運んでもよいし、ベルトコンベアやエレベーターを使用してもよい。
【００２９】
（記録媒体２「リライトカード」）
リライトカードは、サーマルヘッドなどによって情報の消去、書き込みが容易に行える前記記録媒体２である。リライトカードの構成としては、一般に、基材／リライト層／保護層からなる。
【００３０】
基材は、ＰＥＴ（ポリエチレンテレフタレート）等の材質で形成されている。
【００３１】
リライト層の作成には、樹脂母材及び有機低分子物質の２成分を溶解した溶液又は、樹脂母材の溶液（溶剤としては有機低分子物質のうちの少なくとも１種を溶解しないものを用いる）に有機低分子物質を微粒子状に分散した分散液をプラスチックフィルムの基材上に塗布し、乾燥、硬化させて形成する。
【００３２】
また、リライト層用溶剤として、樹脂母材及び有機低分子物質の種類によって種々選択できるが、例えば、テトラヒドロフラン，メチルエチルケトン， メチルイソブチルケトンなどから選択して使用する。
【００３３】
有機低分子物質としては、記録層中で熱により多結晶から単結晶に変化するものであれ
ばよい。また、一般に、融点５０℃〜１５０℃程度のものから選択して使用される。
また、有機低分子物質には、印字特性を向上させるために界面活性剤、高沸点溶剤など
の添加物が添加される。
【００３４】
形成されるリライト層の厚みは、乾燥状態で２μｍ〜２０μｍ程度が好ましい。リライト層が２０μｍを超えると層内での熱の分布が発生し、均一に透明化することが困難となる。また、リライト層が２μｍ未満であると白濁度が低下しコントラストが低くなる。
さらに、リライト層中の有機低分子物質の量を増加させると白濁度を増すことができる。
【００３５】
保護層の材料は、シリコーン系ゴム， シリコーン樹脂， ポリシロキサングラフトポリマー，紫外線硬化樹脂， 電子線硬化樹脂などから選択して使用する。保護層の厚さは作成方法により異なるが、２μｍ〜２０μｍが好ましい。２μｍ未満であると、保護効果が低下し、２０μｍを超えると熱感度が低下する。
【００３６】
（記録媒体２「非接触ＩＣを装着した携帯端末」）
携帯電話機等の携帯端末に、ＳＩＭ（Ｓｕｂｓｃｒｉｂｅｒ  Ｉｄｅｎｔｉｔｙ  Ｍｏｄｕｌｅ) やＵＩＭ（Ｕｓｅｒ  Ｉｄｅｎｔｉｔｙ  Ｍｏｄｕｌｅ) カードと呼ばれるプラグインサイズのＩＣカードを装着して使用することが行われるようになってきている。
【００３７】
ＳＩＭやＵＩＭカードは組み込み型の小型ＩＣカードであり、これを携帯電話機に装着して使用すると内部に電話番号等の加入者や利用者情報が書き込まれていることにより個人の認証がされる。個人の認証ができることにより、携帯電話機を常に持ち歩かず他人の携帯電話機を借用してＳＩＭやＵＩＭカードを抜き差しして使用すれば、電話番号等の加入者情報が特定され加入者自身による電話であることが証明されるほか、加入者に電話料金の請求がされるので他人に電話料金を負担させないことができる。
【００３８】
また、異なるオペレーティングシステム（ＯＳ）を搭載する複数のカードを携帯して目的に応じてカードを頻繁に交換して使用することが考えられる。そのためにはＳＩＭやＵＩＭカードの着脱が容易であることが必要となる。またさらに、ＳＩＭやＵＩＭカード自体に非接触通信機能を持たせることで新たな機能を行なわせることも可能である。
【００３９】
このような非接触ＩＣを装着した携帯端末を記録媒体２として使用することにより、繰り返し使用することによる記録媒体２の劣化ということがなく、記録媒体２そのものの寿命が伸びる。
【００４０】
非接触ＩＣには、記録媒体２を特定する固有情報および購入商品情報が記録され、読取ることができる。
【００４１】
（コード情報）
コード情報２０およびコード情報２１には、一次元コードであるバーコードを用いている。バーコードとは、通常、線の太さ，間隔、色別等により数字符号をバーの組合わせによりパターン化したものであり、これを管理対象符号とするものである。
【００４２】
さらに、コード情報２０およびコード情報２１には、二次元コードであるＱＲコード（登録商標）を用いている。二次元コードは、バーコードを積み上げて構成するスタック型二次元コードや、マトリクス型二次元コードがある。
【００４３】
二次元コードは、バーコード等に比べて省スペースで大容量の情報（例えば漢字ならば
約１８００文字）を格納することができる。また、どの方向からも読み取りができる。さらに、一部の汚れや破損があっても、誤り訂正をしつつ復元するので誤読率が低いという
利点がある。
【符号の説明】
【００４４】
１    購入者
２    記録媒体
３    キャッシュレジスタ
４    リーダーライタ装置
２０  コード情報
２１  コード情報
２２  引渡日
【図１】
2014092993.tif 000003
【図２】
2014092993.tif 000004